(57)【特許請求の範囲】
【請求項１】
防塵服と、冷凍サイクルを有して前記防塵服の内側の温度を調整する温度調整装置とを備え、
前記温度調整装置は、前記冷凍サイクルの圧縮機および蒸発器が前記防塵服の前記内側に配設されて当該蒸発器によって当該防塵服の当該内側を冷却可能に構成されると共に、前記冷凍サイクルの凝縮器が前記防塵服の外表面に配設されて大気との熱交換によって当該冷凍サイクルの冷媒を凝縮可能に構成されている温度調整システム。
【請求項２】
前記温度調整装置は、前記防塵服の前記内側に配設されて前記冷凍サイクルを可動させるためのバッテリーを備えている請求項１記載の温度調整システム。
【請求項３】
熱媒液を案内する導管が配設された中着を備え、
前記温度調整装置は、前記防塵服の前記内側に配設されて前記導管が接続されると共に前記蒸発器によって前記熱媒液を冷却可能に構成された熱交換器と、前記防塵服の前記内側に配設されて前記熱媒液を循環させるポンプとを備えている請求項１または２記載の温度調整システム。
【発明の詳細な説明】
【技術分野】
【０００１】
本発明は、防塵服内の温度を調整可能な温度調整システムに関するものである。
【背景技術】
【０００２】
例えば、下記の特許文献には、冷却塩水等の媒質（以下、「熱媒液」ともいう）を案内する導管が内蔵された衣服と、潜熱貯臓器および液体ポンプを有して熱媒液の温度を調整して圧送可能な温度調整装置（同文献において「空調機器」と称されている装置）とを備え、温度調整装置によって温度調整した熱媒液を衣服（導管）に供給することによって衣服内（衣服の着用者）の温度を調整可能に構成された温度調整システムの発明が開示されている。
【０００３】
この場合、上記の温度調整装置における潜熱貯臓器は、潜熱貯臓媒質としての水や氷を貯蔵可能な貯臓器ハウジング（以下、単に「ハウジング」ともいう）を備え、ハウジング内の潜熱貯臓媒質との熱交換によって熱媒液を冷却することができるように構成されている。これにより、この温度調整システムでは、衣服内の導管と潜熱貯臓器との間で液体ポンプによって熱媒液を循環させることにより、衣服内（衣服の着用者）を冷却することが可能となっている。
【先行技術文献】
【特許文献】
【０００４】
【特許文献１】特表２００５−５３７４５８号公報（第５−１１頁、第１−５図）
【発明の概要】
【発明が解決しようとする課題】
【０００５】
ところが、従来の温度調整システムには、以下の解決すべき問題点が存在する。すなわち、従来の温度調整システムでは、衣服（導管）に供給する熱媒液をハウジング内の潜熱貯臓媒質との熱交換によって冷却する構成が採用されている。この場合、潜熱貯臓媒質として水を使用したときには、熱媒液との熱交換によってハウジング内の水が短時間で温度上昇してしまうため、衣服（導管）に対して充分に冷却した熱媒液を長時間に亘って供給するのが困難となっている。一方、潜熱貯臓媒質として氷を使用することにより、水を使用したときよりも長い時間に亘って熱媒液を冷却し続けることが可能となるものの、熱媒液との熱交換によってハウジング内の氷が短時間で溶融してしまうため、充分に冷却した熱媒液を充分に長い時間に亘って供給するのが依然として困難となっている。
【０００６】
また、大量の潜熱貯臓媒質を貯蔵しておくことで、充分に冷却した熱媒液を充分に長い時間に亘って供給することが可能となるが、かかる場合には、大量の潜熱貯臓媒質を貯蔵可能な大型のハウジングを搭載する必要が生じ、温度調整装置を装着した利用者の軽快な動作が阻害されるだけでなく、潜熱貯臓媒質を含む温度調整装置全体の重量が増加する分だけ、利用者に大きな負担が掛かることとなる。
【０００７】
そこで、出願人は、上記の温度調整における温度調整装置を改良して、潜熱貯臓器に代えて冷凍サイクルの蒸発器によって熱媒液を冷却する構成を採用した温度調整システムを開発した。出願人が開発した温度調整システムによれば、ある程度の蓄電容量のバッテリーを搭載することで冷凍サイクルの圧縮機を充分に長い時間に亘って動作させ続けることができるため、蒸発器によって熱媒液を長時間に亘って冷却することができる結果、大量の潜熱貯臓媒質を携行することなく、充分に冷却した熱媒液を充分に長い時間に亘って衣服（導管）に供給することが可能となる。
【０００８】
この場合、この種の温度調整システムは、例えば、粉塵が舞う環境下で作業する者が防塵服を着用する際に防塵服内を冷却するのに有効利用することができる。このような利用形態においては、導管が配設された衣服を着用し、その上から防塵服を着用することで防塵服内を冷却することとなるが、出願人が開発した温度調整システムでは、大気との熱交換によって冷媒を冷却して凝縮させるための凝縮器を防塵服の外に配置する必要があることから、温度調整装置を防塵服の外に配置し、この温度調整装置によって冷却した熱媒液を防塵服内の衣服（導管）に供給することとなる。
【０００９】
一方、防塵服を装着した状態での作業が完了したときには、例えば高圧洗浄機（高圧の水を噴射して付着物を除去する洗浄機）を使用して防塵服等に付着している汚れを除去する必要が生じることがある。この場合、防塵服に付着している汚れを除去する際には、汚れの除去が完了するまで防塵服を脱ぐことができないため、防塵服内の衣服（導管）に接続されて防塵服の外側に配設された温度調整装置と共に防塵服を洗浄することとなる。
【００１０】
この際に、大気との熱交換によって冷媒を凝縮させる凝縮器は、防塵服と同様に汚れが付着しているため、高圧洗浄機によって防塵服と共に汚れを除去するのが好ましい。しかしながら、圧縮機（圧縮機における電動機）については、水分が付着することで故障を招くおそれがあるため、防塵服等の洗浄に際して水分が付着しないように配慮する必要がある。このため、出願人が開発した温度調整システムでは、作業完了後の洗浄作業が煩雑となっており、この点を改善するのが好ましい。
【００１１】
本発明は、かかる改善すべき課題に鑑みてなされたものであり、充分に長い時間に亘って防塵服内の温度を調整可能としつつ、高圧洗浄機等によって防塵服等を容易に洗浄し得る温度調整システムを提供することを主目的とする。
【課題を解決するための手段】
【００１２】
上記目的を達成すべく、請求項１記載の温度調整システムは、防塵服と、冷凍サイクルを有して前記防塵服の内側の温度を調整する温度調整装置とを備え、前記温度調整装置は、前記冷凍サイクルの圧縮機および蒸発器が前記防塵服の前記内側に配設されて当該蒸発器によって当該防塵服の当該内側を冷却可能に構成されると共に、前記冷凍サイクルの凝縮器が前記防塵服の外表面に配設されて大気との熱交換によって当該冷凍サイクルの冷媒を凝縮可能に構成されている。
【００１３】
請求項２記載の温度調整システムは、請求項１記載の温度調整システムにおいて、前記温度調整装置は、前記防塵服の前記内側に配設されて前記冷凍サイクルを可動させるためのバッテリーを備えている。
【００１４】
請求項３記載の温度調整システムは、請求項１または２記載の温度調整システムにおいて、熱媒液を案内する導管が配設された中着を備え、前記温度調整装置は、前記防塵服の前記内側に配設されて前記導管が接続されると共に前記蒸発器によって前記熱媒液を冷却可能に構成された熱交換器と、前記防塵服の前記内側に配設されて前記熱媒液を循環させるポンプとを備えている。
【発明の効果】
【００１５】
請求項１記載の温度調整システムによれば、温度調整装置における冷凍サイクルの圧縮機および蒸発器を防塵服の内側に配設して蒸発器によって防塵服の内側を冷却可能に構成すると共に、冷凍サイクルの凝縮器を防塵服の外表面に配設して大気との熱交換によって冷媒を凝縮可能に構成したことにより、潜熱貯臓媒質との熱交換によって熱媒液を冷却する従来の温度調整システムとは異なり、大量の潜熱貯臓媒質を携行することなく、冷凍サイクルによって温度調整用の流体（熱媒液や空気）を長時間に亘って冷却し続けることができるため、利用者の軽快な動作を阻害したり、利用者に大きな負担を掛けたりすることなく、防塵服内を長時間に亘って快適な温度に調整することができる。また、圧縮機や蒸発器を防塵服の内側に配設したことで、洗浄を要する汚れがこれらに付着する事態を回避できるだけでなく、防塵服と同様に汚れが付着し易い凝縮器を防塵服の外表面に配設したことで、防塵服を装着したまま、防塵服の外表面と共に凝縮器を洗浄することができるため、洗浄作業にかかる負担を充分に軽減することができる。さらに、大量の熱が発せられる凝縮器を防塵服の外表面に配設したことで、凝縮器からの排熱によって防塵服の内側が温度上昇する事態を好適に回避することができると共に、防塵服の外側に存在する充分な量の大気との熱交換によって凝縮器内の冷媒を充分に冷却することができるため、蒸発器に供給すべき充分な量の冷媒を好適に凝縮させることができる。
【００１６】
請求項２記載の温度調整システムによれば、防塵服の内側に配設されて冷凍サイクルを可動させるためのバッテリーを備えて温度調整装置を構成したことにより、高価な防水型のバッテリーを採用することなく、防塵服等の洗浄時にバッテリーに対して水分が付着するのを確実に回避することができる。また、電源ケーブルを接続して圧縮機等を動作させる構成とは異なり、作業の邪魔となる電源ケーブルが存在しない分だけ、利用者の負担を充分に軽減することができる。
【００１７】
請求項３記載の温度調整システムによれば、熱媒液を冷却可能な熱交換器、および熱媒液を循環させるポンプを備えて温度調整装置を構成し、これらを防塵服の内側に配設して熱交換器を中着の導管に接続したことにより、温度調整用の流体としての空気等の気体を冷却して防塵服の内側に供給する構成とは異なり、熱媒液を案内する導管を引き回した部位に低温の熱媒液を確実に供給することができるため、防塵服内の各部を確実に快適な温度に調整することができる。
【図面の簡単な説明】
【００１８】
【図１】本発明の実施の形態に係る温度調整システム１を利用者Ｘが装着した状態を示す断面図である。
【図２】本発明の実施の形態に係る温度調整装置１の構成図である。
【発明を実施するための形態】
【００１９】
以下、添付図面を参照して、本発明に係る温度調整システムの実施の形態について説明する。
【００２０】
図１に示す温度調整装置１は、「温度調整システム」の一例であって、防護服２、水冷ジャケット３および温度調整装置４を備えて構成されている。
【００２１】
防護服２は、「防塵服」の一例である化学防護服または放射線防護服であって、一例として、利用者Ｘの全身（上半身Ｘａ、下半身Ｘｂおよび頭部Ｘｃ）を覆い、利用者Ｘに塵埃や汚染物質等が付着するのを阻止可能に構成されている。なお、同図に示すように、防護服２の装着に際しては、利用者Ｘの顔面を覆うマスク、利用者Ｘの足部を覆うカバー、および図示しない手袋等を併用するが、これらについては、既存の用具を使用することができるため、詳細な説明を省略する。
【００２２】
水冷ジャケット３は、「中着」に相当し、一例として、利用者Ｘの上半身Ｘａに装着可能なジャケット本体の各部（すなわち、利用者Ｘの上半身Ｘａの各部）に「熱媒液（温度調整用の流体）」の一例である不凍液Ｗを案内可能に導管３ａ（図２参照）が配設されている。なお、不凍液Ｗに代えて、清水やオイル等の各種の「熱媒液」を使用する構成を採用することもできる。
【００２３】
温度調整装置４は、「温度調整装置」の一例であって、図２に示すように、冷凍サイクル１０、熱交換器２１、ポンプ２２、バッテリー２３および制御部２４を備えて防護服２の内側の温度を調整する（冷却する）ことができるように構成されている。具体的には、温度調整装置４は、冷凍サイクル１０における圧縮機１１、膨張弁１３、蒸発器１４と、熱交換器２１、ポンプ２２、バッテリー２３および制御部２４とが収容された本体ユニット４ａ、並びに冷凍サイクル１０における凝縮器１２およびファンＦが収容された放熱ユニット４ｂを備えて構成されている。
【００２４】
熱交換器２１は、「熱交換器」の一例であって、冷凍サイクル１０の蒸発器１４を備えると共に、蒸発器１４内の冷媒とポンプ２２によって圧送される不凍液Ｗとの熱交換によって不凍液Ｗを冷却することができるように構成されている。また、ポンプ２２は、「ポンプ」の一例であって、水冷ジャケット３と熱交換器２１との間に配設されると共に、バッテリー２３から供給される電力によって動作して不凍液Ｗを熱交換器２１に圧送することで熱交換器２１内の不凍液Ｗ（蒸発器１４によって冷却された不凍液Ｗ）を水冷ジャケット３に供給し、かつ水冷ジャケット３において利用者Ｘの上半身Ｘａを冷却して温度上昇した不凍液Ｗを本体ユニット４ａに回収する（不凍液Ｗを循環させる）。
【００２５】
この場合、圧縮機１１とバッテリー２３との間には、バッテリー２３から圧縮機１１への電力の供給をオン／オフするスイッチ１１ａが配設され、ファンＦとバッテリー２３との間には、バッテリー２３からファンＦへの電力の供給をオン／オフするスイッチＦａが配設され、かつポンプ２２とバッテリー２３との間には、バッテリー２３からポンプ２２への電力の供給をオン／オフするスイッチ２２ａが配設されている。また、制御部２４は、スイッチ１１ａをオン状態に制御することで圧縮機１１による冷媒の圧縮処理を実行させ、スイッチＦａをオン状態に制御することでファンＦによる凝縮器１２への送風を実行させて凝縮器１２内の冷媒を冷却する冷却処理を実行させ、かつスイッチ２２ａをオン状態に制御することでポンプ２２を動作させて不凍液Ｗの圧送処理を実行させる。
【００２６】
また、この温度調整システム１では、図１，２に示すように、本体ユニット４ａを水冷ジャケット３と共に防護服２の内側に配設し（「冷凍サイクルの圧縮機および蒸発器と、冷凍サイクルを可動させるためのバッテリーとが防塵服の内側に配設されている」との状態の一例）、かつ、放熱ユニット４ｂを防護服２の外側（外表面）に配設した状態で（「冷凍サイクルの凝縮器が防塵服の外表面に配設されている」との状態の一例）、熱交換器２１内の蒸発器１４によって不凍液Ｗを冷却しつつ、凝縮器１２において大気との熱交換によって冷媒を冷却して凝縮させることができるように構成されている。
【００２７】
この場合、本例の温度調整システム１では、温度調整装置４の本体ユニット４ａおよび放熱ユニット４ｂが防護服２の背部と一体化されている。また、本例の温度調整システム１では、図２に示すように、冷凍サイクル１０における本体ユニット４ａに収容された圧縮機１１と放熱ユニット４ｂに収容された凝縮器１２とを相互に接続する冷媒配管、本体ユニット４ａに収容された膨張弁１３と凝縮器１２とを相互に接続する冷媒配管、および本体ユニット４ａに収容されたバッテリー２３から放熱ユニット４ｂに収容されたファンＦに電力を供給する電源線が、防護服２の背部を貫通させられて防護服２の内側（本体ユニット４ａ）から防護服２の外側（放熱ユニット４ｂ）に引き出されている。
【００２８】
この温度調整システム１の使用に際しては、まず、水冷ジャケット３を上半身Ｘａに装着する。次いで、防護服２の脚部に両足を通した後に、本体ユニット４ａに取り付けられている図示しない肩掛けベルトに両腕を通すようにして本体ユニット４ａを背負う。この場合、本例の温度調整システム１では、前述したように、防護服２の背部と温度調整装置４（本体ユニット４ａおよび放熱ユニット４ｂ）が一体化されている。このため、本体ユニット４ａを背負った状態においては、利用者Ｘの背中が防護服２の背部によって覆われ、かつ放熱ユニット４ｂが利用者Ｘの背中において防護服２の外側（外表面）に位置した状態となる。
【００２９】
続いて、防護服２のフード部によって頭部Ｘｃを覆うと共に、防護服２における図示しない前面開口部を閉塞する。この後、マスク、足部用のカバーおよび手袋等を装着し、必要に応じて、それらと防護服２との隙間を養生テープ（マスキングテープ、隙間閉塞用の粘着テープ）で閉塞する。これにより、温度調整システム１の装着が完了する。
【００３０】
この状態で、図示しないメインスイッチがオン操作されたときに、制御部２４は、スイッチ１１ａ，Ｆａ，２２ａをそれぞれオン状態に制御する。この際には、圧縮機１１によって圧縮された高温高圧の冷媒が凝縮器１２に導入され、ファンＦによって送風される大気との熱交換によって冷却されて凝縮させられた後に、膨張弁１３を通過して蒸発器１４に吐出される。また、ポンプ２２によって不凍液Ｗが熱交換器２１に圧送されることで、熱交換器２１内の不凍液Ｗが水冷ジャケット３の導管３ａに圧送される。この結果、蒸発器１４内での冷媒の断熱膨張によって熱交換器２１内の不凍液Ｗが冷却され、充分に温度低下した状態で水冷ジャケット３（導管３ａ）に圧送される。これにより、水冷ジャケット３に接している利用者Ｘの上半身Ｘａが好適に冷却される。
【００３１】
この場合、凝縮器において冷媒を凝縮させているときには、冷媒との熱交換によって温度上昇した高温の空気（大気）が放熱ユニット４ｂから排出される。したがって、本例の温度調整システム１とは相違するが、凝縮器１２を圧縮機１１等と共に防護服２の内側に配設した場合には、凝縮器１２からの排熱によって防護服２の内側が温度上昇し、利用者Ｘの上半身Ｘａを好適に冷却するのが困難となるだけでなく、冷媒を充分に冷却するのが困難となるため、蒸発器１４に供給すべき充分な量の冷媒を凝縮させることが困難となる。これに対して、本例の温度調整システム１では、上記したように、凝縮器１２（放熱ユニット４ｂ）が防護服２の外部に配設されているため、凝縮器１２からの排熱によって防護服２の内側を温度上昇させることなく、必要充分な量の冷媒を好適に冷却して凝縮させることが可能となっている。
【００３２】
また、バッテリー２３等の蓄電装置の能力が向上している今日では、小型で軽量なバッテリー２３であっても、圧縮機１１、ファンＦおよびポンプ２２を充分に長い時間に亘って動作させ続けることが可能となっている。したがって、水冷ジャケット３に供給すべき不凍液Ｗを蒸発器１４によって長時間に亘って冷却することができるため、温度調整システム１を装着した利用者が、長時間に亘って快適な温度環境下で作業を継続することが可能となっている。
【００３３】
一方、温度調整システム１を装着した状態での作業が完了したときに、防護服２や放熱ユニット４ｂ等に汚れが付着しているときには、高圧洗浄機等によってこれを除去する必要がある。この際に、本例の温度調整システム１では、防護服２を装着したまま防護服２や放熱ユニット４ｂに水を吹き付けて洗浄することが可能となっている。具体的には、一例として、温度調整システム１（防護服２、水冷ジャケット３および温度調整装置４）や、マスク、足部用のカバーおよび手袋等を装着したまま、利用者Ｘの全身に洗浄用の水や洗浄液を吹き付ける。
【００３４】
この際に、本例の温度調整システム１では、凝縮器１２やファンＦが収容された放熱ユニット４ｂが防護服２の外側（外表面）に配設されているため、防護服２の外表面と共に放熱ユニット４ｂに水や洗浄液を吹き付けることで、これらに付着している汚れが好適に除去される。また、本例の温度調整システム１では、圧縮機１１、ポンプ２２、バッテリー２３および制御部２４などが収容された本体ユニット４ａが防護服２の内側に配設されているため、洗浄を必要とする汚れがこれらに付着すること自体が好適に回避されているだけでなく、防護服２や放熱ユニット４ｂを洗浄するための水や洗浄液が防護服２の内側の本体ユニット４ａに付着することも好適に回避される。これにより、洗浄作業が完了する。
【００３５】
このように、この温度調整システム１によれば、温度調整装置４における冷凍サイクル１０の圧縮機１１および蒸発器１４を防護服２の内側に配設して蒸発器１４によって防護服２の内側を冷却可能に構成すると共に、冷凍サイクル１０の凝縮器１２を防護服２の外側に配設して大気との熱交換によって冷媒を凝縮可能に構成したことにより、潜熱貯臓媒質との熱交換によって熱媒液を冷却する従来の温度調整システムとは異なり、大量の潜熱貯臓媒質を携行することなく、冷凍サイクル１０によって不凍液Ｗを長時間に亘って冷却し続けることができるため、利用者の軽快な動作を阻害したり、利用者に大きな負担を掛けたりすることなく、防護服２内を長時間に亘って快適な温度に調整することができる。また、圧縮機１１や蒸発器１４を防護服２の内側に配設したことで、洗浄を要する汚れがこれらに付着する事態を回避できるだけでなく、防護服２と同様に汚れが付着し易い凝縮器１２を防護服２の外側（外表面）に配設したことで、防護服２を装着したまま、防護服２の外表面と共に凝縮器１２を洗浄することができるため、洗浄作業にかかる負担を充分に軽減することができる。さらに、大量の熱が発せられる凝縮器１２を防護服２の外側（外表面）に配設したことで、凝縮器１２からの排熱によって防護服２の内側が温度上昇する事態を好適に回避することができると共に、防護服２の外側に存在する充分な量の大気との熱交換によって凝縮器１２内の冷媒を充分に冷却することができるため、蒸発器１４に供給すべき充分な量の冷媒を好適に凝縮させることができる。
【００３６】
また、この温度調整システム１によれば、防護服２の内側に配設されて冷凍サイクル１０を可動させるためのバッテリー２３を備えて温度調整装置４を構成したことにより、高価な防水型の「バッテリー」を採用することなく、防護服２等の洗浄時にバッテリー２３に対して水分が付着するのを確実に回避することができる。また、電源ケーブルを接続して圧縮機１１やポンプ２２等を動作させる構成とは異なり、作業の邪魔となる電源ケーブルが存在しない分だけ、利用者の負担を充分に軽減することができる。
【００３７】
さらに、この温度調整システム１によれば、不凍液Ｗを冷却可能な熱交換器２１、および不凍液Ｗを循環させるポンプ２２を備えて温度調整装置４を構成し、これらを防護服２の内側に配設して熱交換器２１を水冷ジャケット３の導管３ａに接続したことにより、空気等の気体を冷却して防護服２の内側に供給する構成とは異なり、不凍液Ｗを案内する導管３ａを引き回した部位に低温の不凍液Ｗを確実に供給することができるため、防護服２内の各部を確実に快適な温度に調整することができる。
【００３８】
なお、「温度調整システム」の構成は、上記の温度調整装置１の構成に限定されるものではない。例えば、利用者Ｘの全身（上半身Ｘａ、下半身Ｘｂおよび頭部Ｘｃ）を覆う防護服２を備えた温度調整システム１を例に挙げて説明したが、「温度調整システム」を構成する「防塵服」はこのような構成のものに限定されず、利用者Ｘの上半身Ｘａだけを覆う「防塵服」（下半身Ｘｂや頭部Ｘｃを覆う衣を別体とした構成）や、利用者Ｘの上半身Ｘａおよび頭部Ｘｃだけを覆う「防塵服」（下半身Ｘｂを覆う衣を別体とした構成）を採用することができる（図示せず）。これらの「防塵服」を採用した場合には、利用者Ｘの下半身Ｘｂを覆う衣や、頭部Ｘｃを覆う衣については、既存の用具を併用すればよい。
【００３９】
また、利用者Ｘの上半身Ｘａに装着可能な水冷ジャケット３を「中着」として備えた温度調整システム１を例に挙げて説明したが、「中着」の構成は、上半身Ｘａを覆う上記の水冷ジャケット３の構成に限定されず、上半身Ｘａ、下半身Ｘｂおよび頭部Ｘｃの各部に不凍液Ｗを案内する構成、上半身Ｘａおよび下半身Ｘｂの各部に不凍液Ｗを案内する構成、下半身Ｘｂの各部に不凍液Ｗを案内する構成、並びに頭部Ｘｃの各部に不凍液Ｗを案内する構成（いずれも図示せず）を採用することができる。これらの構成のいずれかを採用するときには、少なくとも、「中着」によって不凍液Ｗを案内する部位を覆うように「防塵服」を構成すればよい。
【００４０】
また、バッテリー２３を本体ユニット４ａ内に収容して防護服２の内側に配設する構成の温度調整システム１を例に挙げて説明したが、「バッテリー」については、防水構造を採用することで「凝縮器」と共に「防塵服」の外側（外表面）に配設することもできる。さらに、「バッテリー」を備えずに、圧縮機１１、ファンＦおよびポンプ２２等を動作させるための電源を外部から供給させるための電源ケーブルを接続可能に構成することもできる（図示せず）。
【００４１】
また、「熱媒液」の一例である不凍液Ｗを蒸発器１４によって冷却して水冷ジャケット３（導管３ａ）に供給することで防護服２の内側（利用者Ｘの上半身Ｘａ）を冷却する構成の温度調整システム１を例に挙げて説明したが、「熱媒液」に代えて、「防塵服」内の空気を「蒸発器」によって冷却して「防塵服」内に吐出させる構成を採用することもできる。このような構成を採用した場合においても、大量の潜熱貯臓媒質を携行することなく、「冷凍サイクル」によって「防塵服」内の空気を長時間に亘って冷却し続けることができるため、利用者の軽快な動作を阻害したり、利用者に大きな負担を掛けたりすることなく、「防塵服」内を長時間に亘って快適な温度に調整することができる。また、「圧縮機」や「蒸発器」を「防塵服」の内側に配設したことで、洗浄を要する汚れがこれらに付着する事態を回避できるだけでなく、「防塵服」と同様に汚れが付着し易い「凝縮器」を「防塵服」の外側（外表面）に配設したことで、「防塵服」を装着したまま、「防塵服」の外表面と共に「凝縮器」を洗浄することができるため、洗浄作業にかかる負担を充分に軽減することができる。さらに、大量の熱が発せられる「凝縮器」を「防塵服」の外側（外表面）に配設したことで、「凝縮器」からの排熱によって「防塵服」の内側が温度上昇する事態を好適に回避することができると共に、「防塵服」の外側に存在する充分な量の大気との熱交換によって「凝縮器」内の冷媒を充分に冷却することができるため、「蒸発器」に供給すべき充分な量の冷媒を好適に凝縮させることができる。
【符号の説明】
【００４２】
１  温度調整システム
２  防護服
３  水冷ジャケット
３ａ  導管
４  温度調整装置
４ａ  本体ユニット
４ｂ  放熱ユニット
１０  冷凍サイクル
１１  圧縮機
１１ａ，２２ａ，Ｆａ  スイッチ
１２  凝縮器
１３  膨張弁
１４  蒸発器
２１  熱交換器
２２  ポンプ
２３  バッテリー
２４  制御部
Ｆ  ファン
Ｘ  利用者
Ｘａ  上半身
Ｘｂ  下半身
Ｘｃ  頭部
Ｗ  不凍液
【図１】
0006479551.tif 000002
【図２】
0006479551.tif 000003